(57)【要約】【課題】画像を拡大して表示した場合であってもユーザが焦点検出位置を把握できるようにすることを目的とする。【解決手段】撮像制御装置は、撮像手段により撮像される画像において焦点検出位置の情報を取得する取得手段と、表示手段に前記画像の一部を拡大して表示するように制御する表示制御手段と、前記画像の一部が拡大して表示された場合に画像全体に対して拡大した位置を示す拡大ガイドを表示するように制御する制御手段と、を有し、前記制御手段は、前記焦点検出位置が前記画像の一部を拡大して表示した範囲外である場合に、前記拡大ガイドに前記焦点検出位置の場所を示す表示を行うように制御することを特徴とする。【選択図】図７
2019164192.tif 000002
【特許請求の範囲】
【請求項１】
撮像手段により撮像される画像において焦点検出位置の情報を取得する取得手段と、
表示手段に前記画像の一部を拡大して表示するように制御する表示制御手段と、
前記画像の一部が拡大して表示された場合に画像全体に対して拡大した位置を示す拡大ガイドを表示するように制御する制御手段と、を有し、
前記制御手段は、
前記焦点検出位置が前記画像の一部を拡大して表示した範囲外である場合に、前記拡大ガイドに前記焦点検出位置の場所を示す表示を行うように制御することを特徴とする撮像制御装置。
【請求項２】
前記制御手段は、
前記焦点検出位置が前記画像の一部を拡大して表示した範囲外および範囲内の何れの場合であっても、前記拡大ガイドに前記焦点検出位置の場所を示す表示を行うように制御することを特徴とする請求項１に記載の撮像制御装置。
【請求項３】
前記制御手段は、
前記拡大ガイドに、前記焦点検出位置の場所を示す表示と共に、前記焦点検出位置における合焦度合いを示す表示を行うように制御することを特徴とする請求項１または２に記載の撮像制御装置。
【請求項４】
前記制御手段は、
前記拡大ガイドに前記焦点検出位置の場所を示す表示アイテムを表示し、前記焦点検出位置における合焦度合いに応じて前記表示アイテムの表示形態を変更して表示するように制御することを特徴とする請求項１ないし３の何れか１項に記載の撮像制御装置。
【請求項５】
前記制御手段は、
前記拡大ガイドに、前記焦点検出位置の場所を示す第１の表示アイテムと、前記焦点検出位置における合焦度合いを示す第２の表示アイテムとを表示するように制御することを特徴とする請求項１ないし３の何れか１項に記載の撮像制御装置。
【請求項６】
前記制御手段は、
前記焦点検出位置における合焦度合いに応じて前記第２の表示アイテムの表示形態を変更して表示するように制御することを特徴とする請求項５に記載の撮像制御装置。
【請求項７】
前記制御手段は、
前記表示形態の変更として形状および色の少なくとも何れか一方を変更するように制御することを特徴とする請求項４または６に記載の撮像制御装置。
【請求項８】
前記制御手段は、
前記拡大ガイドに前記焦点検出位置の場所を示す表示を行うと共に、前記撮像手段により撮像され前記表示手段に表示される画像に対して前記焦点検出位置を示す表示を行うように制御することを特徴とする請求項１ないし７の何れか１項に記載の撮像制御装置。
【請求項９】
前記制御手段は、
前記拡大ガイドに前記焦点検出位置の場所を示す表示アイテムを表示し、
前記撮像手段により撮像され前記表示手段に表示される画像に対して前記焦点検出位置を示す識別アイテムを表示し、
前記表示アイテムと前記識別アイテムとが対応することをユーザに識別可能に表示するように制御することを特徴とする請求項８に記載の撮像制御装置。
【請求項１０】
前記制御手段は、
前記拡大ガイドに前記焦点検出位置の場所を示す表示アイテムを表示し、
前記撮像手段により撮像され前記表示手段に表示される画像に対して前記焦点検出位置を示す識別アイテムを表示し、
前記表示アイテムを、前記識別アイテムと同一の表示形態で表示するように制御することを特徴とする請求項８または９に記載の撮像制御装置。
【請求項１１】
前記制御手段は、
前記焦点検出位置における合焦度合いに応じて前記識別アイテムの表示形態を変更して表示すると共に、前記表示アイテムを、前記変更した前記識別アイテムの表示形態と同一の表示形態で表示するように制御することを特徴とする請求項１０に記載の撮像制御装置。
【請求項１２】
前記制御手段は、
前記同一の表示形態として形状および色の少なくとも何れか一方を同一にするように制御することを特徴とする請求項１０または１１に記載の撮像制御装置。
【請求項１３】
前記制御手段は、
前記表示アイテムを、前記識別アイテムと同一の形状であって、前記識別アイテムの形状よりも小さい形状で表示するように制御することを特徴とする請求項９ないし１２の何れか１項に記載の撮像制御装置。
【請求項１４】
前記制御手段は、
前記表示アイテムを、前記識別アイテムよりも小さい枠形状で表示するように制御することを特徴とする請求項９ないし１３の何れか１項に記載の撮像制御装置。
【請求項１５】
前記制御手段は、
前記拡大ガイドに前記焦点検出位置の場所を示す表示アイテムを表示し、
前記撮像手段により撮像され前記表示手段に表示される画像に対して前記焦点検出位置を示す識別アイテムを表示し、
前記表示アイテムを、前記識別アイテムよりも簡易的な表示形態で表示するように制御することを特徴とする請求項８または９に記載の撮像制御装置。
【請求項１６】
前記制御手段は、
前記表示アイテムを、前記識別アイテムの一部を非表示にしたアイテムで表示するように制御することを特徴とする請求項１５に記載の撮像制御装置。
【請求項１７】
前記制御手段は、
前記拡大ガイドに対する前記表示アイテムの大きさの比率と、前記画像全体に対する前記識別アイテムの大きさの比率とが同一になるように、前記表示アイテムを表示するように制御することを特徴とする請求項９ないし１６の何れか１項に記載の撮像制御装置。
【請求項１８】
前記制御手段は、
前記焦点検出位置が前記画像の一部を拡大して表示した範囲外である場合に、前記焦点検出位置を示す表示を非表示にするように制御することを特徴とする請求項８ないし１７の何れか１項に記載の撮像制御装置。
【請求項１９】
前記取得手段は、複数の焦点検出位置の情報を取得し、
前記制御手段は、
前記複数の焦点検出位置のうち少なくとも一つの焦点検出位置が、前記画像の一部を拡大して表示した範囲外である場合に、前記拡大ガイドに前記範囲外の焦点検出位置の場所を示す表示を行うように制御することを特徴とする請求項１ないし１８の何れか１項に記載の撮像制御装置。
【請求項２０】
前記焦点検出位置は、ＭＦモードが設定されている場合にユーザが合焦度合いを把握したい位置であることを特徴とする請求項１ないし１９の何れか１項に記載の撮像制御装置。
【請求項２１】
ＡＦモードおよびＭＦモードを含む動作モードを設定する設定手段を有し、
前記制御手段は、
前記設定手段によりＭＦモードが設定されているときに前記焦点検出位置が前記画像の一部を拡大して表示した範囲外である場合、前記拡大ガイドに前記焦点検出位置を示す表示を行うように制御し、
前記設定手段によりＡＦモードが設定されている場合、前記拡大ガイドに前記焦点検出位置を示す表示を行わないように制御することを特徴とする請求項１ないし２０の何れか１項に記載の撮像制御装置。
【請求項２２】
前記焦点検出位置は、ＡＦモードが設定されている場合に合焦させる位置であることを特徴とする請求項１ないし１９の何れか１項に記載の撮像制御装置。
【請求項２３】
撮像手段により撮像される画像において焦点検出位置の情報を取得する取得ステップと、
表示手段に前記画像の一部を拡大して表示するように制御する表示制御ステップと、
前記画像の一部が拡大して表示された場合に前記画像の画像全体に対して拡大した位置を示す拡大ガイドを表示するように制御する制御ステップと、を有し、
前記制御ステップでは、
前記焦点検出位置が前記画像の一部を拡大して表示した範囲外である場合に、前記拡大ガイドに前記焦点検出位置の場所を示す表示を行うように制御することを特徴とする撮像制御装置の制御方法。
【請求項２４】
コンピュータを、請求項１ないし２２の何れか１項に記載された撮像制御装置の各手段として機能させるためのプログラム。
【請求項２５】
コンピュータを、請求項１ないし２２の何れか１項に記載された撮像制御装置の各手段として機能させるためのプログラムを格納したコンピュータが読み取り可能な記録媒体。
【発明の詳細な説明】
【技術分野】
【０００１】
本発明は、撮像制御装置、撮像制御装置の制御方法、プログラムおよび記録媒体に関する。
【背景技術】
【０００２】
ビデオカメラ等の撮像装置では、フォーカス合わせを容易にできる技術が提案されている。特許文献１には、指定領域のフォーカス量に関するガイド表示を行うことができる表示制御装置が開示されている。また、特許文献２には、指定領域の撮像画像を拡大して表示した状態においてフォーカス量に関するガイド表示を行う際に好適な表示形態を行う表示制御装置が開示されている。
【先行技術文献】
【特許文献】
【０００３】
【特許文献１】特開２０１６−１９７１８０号公報
【特許文献２】特開２０１６−１９７１８２号公報
【発明の概要】
【発明が解決しようとする課題】
【０００４】
しかしながら、上述した特許文献では撮像画像を拡大して表示したときに拡大表示領域とフォーカス量に関するガイド表示位置とが異なった場合に、ユーザはどの位置のフォーカス量に関するガイド表示を行っているかを把握することが困難であるという問題がある。
本発明は、上述したような問題点に鑑み、画像を拡大して表示した場合であってもユーザが焦点検出位置を容易に把握できるようにすることを目的とする。
【課題を解決するための手段】
【０００５】
本発明は、撮像手段により撮像される画像において焦点検出位置の情報を取得する取得手段と、表示手段に前記画像の一部を拡大して表示するように制御する表示制御手段と、前記画像の一部が拡大して表示された場合に画像全体に対して拡大した位置を示す拡大ガイドを表示するように制御する制御手段と、を有し、前記制御手段は、前記焦点検出位置が前記画像の一部を拡大して表示した範囲外である場合に、前記拡大ガイドに前記焦点検出位置の場所を示す表示を行うように制御することを特徴とする。
【発明の効果】
【０００６】
本発明によれば、画像を拡大して表示した場合であってもユーザが焦点検出位置を容易に把握することができる。
【図面の簡単な説明】
【０００７】
【図１】カメラのハードウェア構成の一例を示す図である。
【図２】撮像素子の受光面の一部の構成の一例を示す図である。
【図３】表示部に表示される表示画面の一例を示す図である。
【図４】撮像画像を拡大したときの表示画面の一例を示す図である。
【図５】拡大範囲を移動したときの表示画面の一例を示す図である。
【図６】フォーカスガイドを移動したときの表示画面の一例を示す図である。
【図７】表示制御の処理の一例を示すフローチャートである。
【図８】撮像画像を拡大したときの表示画面の一例を示す図である。
【図９】フォーカスガイドを移動したときの表示画面の一例を示す図である。
【図１０】ＡＦに切替えたときの表示画面の一例を示す図である。
【図１１】複数のフォーカスガイドを表示したときの表示画面の一例を示す図である。
【図１２】変形例の表示画面の一例を示す図である。
【発明を実施するための形態】
【０００８】
以下、図面を参照して本発明の好適な実施形態について説明する。
（第１の実施形態）
本実施形態では、撮像制御装置がデジタルカメラ１０（以下、カメラ１０という）である場合について説明する。
【０００９】
＜ハードウェア構成＞
図１は、カメラ１０のハードウェア構成の一例を示す図である。
筺体１００は、カメラ１０の構成要素の多くを内包する外装である。各種の操作部や表示部１０１、外部出力部１０２は筺体１００の表面に露出している。
交換レンズ１０３は、複数のレンズ群からなる撮影レンズであり、フォーカスレンズ、ズームレンズ、シフトレンズを内部に備えるほか、絞りを含む。
【００１０】
撮像素子１０４は、光電変換素子を有する画素が複数、二次元状に配列された構成を有する。撮像素子１０４は、交換レンズ１０３により結像された被写体光学像を各画素で光電変換し、さらにＡ／Ｄ変換回路によってアナログ・デジタル変換して、画素単位の画像信号（ＲＡＷ画像データ）を出力する。本実施形態に用いる撮像素子１０４と、関連する測距部１０５の詳細は、図２を参照して後述する。
【００１１】
ＮＤフィルタ１０６はレンズに備えられた絞りとは別に入射光量を調整するためにカメラ１０に設けられる。
画像処理部１０７は、撮像素子１０４に起因するレベル差を補正する。例えば、ＯＢ領域（ｏｐｔｉｃａｌ  ｂｌａｃｋ領域）の画素を用いて、有効領域の画素のレベルを補正するほか、欠陥画素に対して周囲画素を用いた補正を行う。また、周辺光量落ちに対する補正、色補正、輪郭強調、ノイズ除去、ガンマ補正、ディベイヤー、圧縮等の各処理を行う。画像処理部１０７は、撮像素子１０４から入力されたＲＡＷ画像データに対して上述した処理を行うと、その他の制御部へ補正した画像データを出力する。
【００１２】
記録媒体Ｉ／Ｆ部１０８は、記録媒体１０９とカメラ１０とのインターフェースであり、記録媒体１０９に対して、画像処理部１０７から入力された画像データの記録や記録した画像データの読み出しを制御する。
記録媒体１０９は、撮像された画像データを記録するための半導体メモリ等で構成される記録媒体であり、記録媒体Ｉ／Ｆ部１０８による制御に応じて画像データの記録や記録された画像データの読み出しを実行する。記録媒体１０９は、着脱可能なメモリーカード等である。なお、記録媒体１０９は、カメラ１０に内蔵されていてもよい。
【００１３】
ＧＰＵ１１０は、カメラ１０の各種情報表示やメニュー画面をＶＲＡＭに描画するレンダリングエンジンである。文字列や図形の描画機能のほか、拡大縮小描画機能や、回転描画機能、レイヤ合成機能を備えている。ＶＲＡＭは透過度を表すアルファチャネルを備えており、ＶＲＡＭに描画された表示物を表示用Ｉ／Ｆ部１１１によって撮像画像や再生画像上にオンスクリーン表示することができる。
【００１４】
表示用Ｉ／Ｆ部１１１は、画像処理部１０７からの画像データ（撮像画像、再生画像）およびＧＰＵ１１０でＶＲＡＭに描画した表示物に対して、重畳合成およびリサイズ処理を行い、表示部１０１へ出力する（表示する）。拡大表示モードになっているときは、表示用Ｉ／Ｆ部１１１は画像データの部分領域に対して重畳合成およびリサイズ処理を行う。その結果、拡大表示モードでは、通常時よりも拡大された画像が表示部１０１に表示されるため、ユーザがマニュアルフォーカス（ＭＦ）でのフォーカス調整操作をより正確に行いやすくなる。
【００１５】
表示部１０１は、表示用Ｉ／Ｆ部１１１から出力された画像データを画角確認用に表示する筺体１００側から視認可能な外部モニタや、ファインダ内の表示部である。表示部１０１は、液晶ディスプレイや有機ＥＬディスプレイ（Ｏｒｇａｎｉｃ  Ｌｉｇｈｔ−Ｅｍｉｔｔｉｎｇ  Ｄｉｏｄｅ  Ｄｉｓｐｌａｙ）等で構成される。
【００１６】
本体マイコン１１２は、カメラ１０の全体の動作を制御する制御部であり、マイクロコンピュータ等で構成される。本体マイコン１１２は、ＣＰＵ１１２ａ、ＲＯＭ１１２ｂ、ＲＡＭ１１２ｃを備える。ＣＰＵ１１２ａは、ＲＯＭ１１２ｂに記憶されたプログラムをＲＡＭ１１２ｃに展開して実行することにより、後述するフローチャートの動作が実現される。
【００１７】
ゲイン制御部１１３、シャッター制御部１１４、ＮＤ制御部１１５および絞り制御部１１６は、何れも露出制御に関する制御部である。これらは、それぞれ画像処理部１０７の出力した画像データの輝度レベルを本体マイコン１１２で算出した結果に基づいて、あるいはユーザがマニュアル設定した動作パラメータに基づいて、本体マイコン１１２によって制御される。
ゲイン制御部１１３は、撮像素子１０４のゲインを制御する。
シャッター制御部１１４は、撮像素子１０４のシャッタースピードを制御する。
ＮＤ制御部１１５は、ＮＤフィルタ１０６を介して撮像素子１０４に入射する光量を制御する。
絞り制御部１１６は、交換レンズ１０３の絞りを制御する。
【００１８】
フォーカス制御部１１７は、本体マイコン１１２で記憶されるフォーカス駆動状態（動作モード）がＭＦモードであるかオートフォーカス（ＡＦ）モードであるかによって異なる動作を行う。
ＡＦモードの場合、本体マイコン１１２は画像処理部１０７から出力された画像データを参照してフォーカスの合焦情報を算出し、フォーカス制御部１１７は合焦情報に基づいて交換レンズ１０３内部のフォーカスレンズを制御する。あるいは、フォーカス制御部１１７は撮像面位相差検出によって測距部１０５から出力されたデフォーカス量に基づいて交換レンズ１０３内部のフォーカスレンズを制御する。なお、画像データの部分領域に設定されたＡＦ枠内の被写体のみに基づいて合焦情報を算出することもできる。
【００１９】
また、ＡＦモードには、本体マイコン１１２の振る舞いによって、２つのモードが含まれる。一つはワンショットＡＦモードであり、ワンショットＡＦキー１２９が押下されたときだけＡＦ制御を行い、合焦成功または合焦失敗が確定した後はフォーカス制御部１１７の制御を停止するモードである。もう一つはコンティニュアスＡＦモード（サーボＡＦ）であり、常にＡＦ制御を行うモードである。ただし、コンティニュアスＡＦモードであっても、ＡＦロックキー１３０の押下によってＡＦロック状態になっているときは、フォーカス制御部１１７の制御を停止する。２つのモードの切替えはメニュー画面内の設定変更によって行う。
【００２０】
ＭＦモードの場合、フォーカス制御部１１７はＡＦ制御を停止する。この場合、ユーザが交換レンズ１０３に組み込まれたフォーカスリング１３４を回転させることによって、任意のフォーカス調整を行うことができる。
【００２１】
防振制御部１１８は、画像処理部１０７から出力された画像データを参照して本体マイコン１１２が被写体の動きベクトルを算出し、算出した動きベクトルに基づいて手ブレを相殺するように交換レンズ１０３内部のシフトレンズを制御する光学式防振処理を行う。あるいは、防振制御部１１８は手ブレによる像ブレを相殺する方向に動画の各フレームで画像を切り出す電子式防振処理を行う。
【００２２】
メモリＩ／Ｆ部１１９は、撮像素子１０４から出力された全画素分のＲＡＷ画像データをメモリ１２０に書き込み、また、メモリ１２０に記憶されたＲＡＷ画像データを読み出して画像処理部１０７に出力する。
メモリ１２０は、数フレームの全画素分のＲＡＷ画像データを格納する揮発性の記憶媒体である。画像処理部１０７は、メモリＩ／Ｆ部１１９から送信された全画素分のＲＡＷ画像データに対し、制御に必要な画像処理を行う。
【００２３】
外部出力Ｉ／Ｆ部１２１は、画像処理部１０７からの画像データにリサイズ処理を行う。また、外部出力部１０２の規格に適した信号変換および制御信号の付与を行い、外部出力部１０２へ出力する。
外部出力部１０２は、画像データを外部出力する端子であり、例えばＳＤＩ（Ｓｅｒｉａｌ  Ｄｉｇｉｔａｌ  Ｉｎｔｅｒｆａｃｅ）端子やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子である。外部出力部１０２には、外部機器であるモニターディスプレイや、外部記録装置が接続可能である。
【００２４】
外部操作用Ｉ／Ｆ部１２２は、外部操作部１２３による制御指示を受信し、本体マイコン１１２へ通知するインターフェースである。例えば、赤外線リモコン受光部や、無線ＬＡＮ（Ｌｏｃａｌ  Ａｒｅａ  Ｎｅｔｗｏｒｋ）インターフェースや、ＬＡＮＣ（登録商標）（Ｌｏｃａｌ  Ａｐｐｌｉｃａｔｉｏｎ  Ｃｏｎｔｒｏｌ  ｂｕｓ  ｓｙｓｔｅｍ）が相当する。
外部操作部１２３は、外部操作用Ｉ／Ｆ部１２２に対して制御指示（制御コマンド）を送信する。外部操作部１２３は、筺体１００や交換レンズ１０３に組み込まれた操作部（メニューキー１２４〜ＡＦ／ＭＦスイッチ１３５）の各部の操作に相当する指示を送信することができる。また、外部操作部１２３は、表示部１０１で表示するメニュー画面における設定変更情報を送信することができる。
【００２５】
メニューキー１２４〜ＡＦ／ＭＦスイッチ１３５は操作部であり、キー（ボタン）やダイヤル、タクトスイッチ、リング、タッチパネル等の部材からなる。何れの操作部もユーザの操作を受け付け、本体マイコン１１２に対して制御指示を通知する役割を担っている。メニューキー１２４〜ＳＴＡＲＴ／ＳＴＯＰキー１３３は、筺体１００に搭載された本体側の操作部である。フォーカスリング１３４とＡＦ／ＭＦスイッチ１３５は、交換レンズ１０３に搭載されたレンズ側の操作部である。これらの操作部の一部は、メニュー画面内の設定によって、キーの役割を変更したり、別の機能にアサインしたりすることも可能である。
【００２６】
メニューキー１２４は、表示部１０１にメニュー画面を表示する指示、あるいは既に開いているメニュー画面を閉じる指示を行う。
十字キー１２５およびダイヤル１２６は、何れもメニュー画面内で項目を選択するためのカーソルを移動したり、フォーカスに関する枠表示をユーザの所望する方向へ移動したりする指示を行う。十字キー１２５は、上キー、下キー、左キー、右キーよりなる方向キーであり、それぞれ別体の操作部材であってもよく、同一の操作部材として構成して押下する位置に応じて上下左右の何れかの指示が行えるように構成してもよい。ダイヤル１２６は、時計回りの操作と反時計回りの操作が行える回転操作部材である。
【００２７】
ＳＥＴキー１２７は、メニュー画面内でカーソルが位置する項目を選択したり、各種の設定操作を確定したりする指示を行う。
キャンセルキー１２８は、メニュー画面で下位の階層の選択を行っているときに一つ上位の階層へ戻ったり、各種の設定操作をキャンセルしたりする指示を行う。
ワンショットＡＦキー１２９は、ＡＦモードがワンショットＡＦモードであるときに、フォーカス制御部１１７によってＡＦを駆動する指示を行う。
ＡＦロックキー１３０は、ＡＦモードがコンティニュアスＡＦモードであるときに、フォーカス制御部１１７による制御を停止させる停止指示、制御停止状態を解除する解除指示を行う。
【００２８】
拡大キー１３１は、表示部１０１に表示される画像を拡大したり元に戻したりする指示を行う。
ＤＩＳＰＬＡＹキー１３２は、本体マイコン１１２で保持されるＤｉｓｐレベルを変更する指示を行う。選択されたＤｉｓｐレベルに基づいて、表示部１０１に表示される各種情報表示が制限され、より詳細な情報を表示したり、画像をよりクリアに表示したりすることができる。
【００２９】
ＳＴＡＲＴ／ＳＴＯＰキー１３３は、記録媒体Ｉ／Ｆ部１０８による記録の開始と停止の指示を行う。
フォーカスリング１３４は、フォーカス駆動状態がＭＦモードであるときに、交換レンズ１０３内のフォーカスレンズを移動させて、フォーカス調整を行うことができる。
ＡＦ／ＭＦスイッチ１３５は、フォーカス駆動状態、すなわちＡＦモードとＭＦモードを相互に切替える指示を行う。
【００３０】
第１シャッタースイッチ１３７は、カメラ１０に設けられたシャッターボタン１３６の操作途中、いわゆる半押し（撮影準備指示）でＯＮとなり第１シャッタースイッチ信号ＳＷ１を発生する。第１シャッタースイッチ信号ＳＷ１により、ＡＦ処理、ＡＥ（自動露出）処理、ＡＷＢ（オートホワイトバランス）処理、ＥＦ（フラッシュプリ発光）処理等の動作を開始する。
第２シャッタースイッチ１３８は、シャッターボタン１３６の操作完了、いわゆる全押し（撮影指示）でＯＮとなり、第２シャッタースイッチ信号ＳＷ２を発生する。本体マイコン１１２は、第２シャッタースイッチ信号ＳＷ２により、撮像素子１０４からの信号読み出しから記録媒体１０９に画像データを書き込むまでの一連の撮影処理の動作を開始する。
【００３１】
＜撮像面位相差検出＞
図２は、画像センサーとしての撮像素子１０４の受光面の一部を示す図である。
撮像素子１０４は、撮像面位相差ＡＦを可能にするために、一つのマイクロレンズに対して光電変換手段として受光部であるフォトダイオードを２つ保持している画素部をアレイ状に並べている。これにより、各画素部で、交換レンズ１０３の射出瞳を分割した光束を受光することが可能になっている。
【００３２】
図２（ａ）は、参考として、赤（Ｒ）、青（Ｂ）、緑（Ｇｂ、Ｇｒ）のベイヤー配列例の画像センサー表面の一部の一例を示す模式図である。図２（ｂ）は、図２（ａ）のカラーフィルターの配列に対応させて、一つのマイクロレンズに対して光電変換手段としてのフォトダイオードを２つ保持している画素部の一例を示す模式図である。
こうした構成を有する画像センサーは、各画素部から位相差検出用の２つの信号（以下、Ａ像信号、Ｂ像信号ともいう）を出力できるようになっている。また、２つのフォトダイオードの信号を加算した撮像の記録用の信号（Ａ像信号＋Ｂ像信号）も出力できるようになっている。この加算した信号の場合には、図２（ａ）で概略説明したベイヤー配列例の画像センサーの出力と同等の信号が出力される。
【００３３】
このような画像センサーとしての撮像素子１０４からの出力信号を使って、測距部１０５が２つの像信号の相関演算を行い、デフォーカス量や各種信頼性等の情報を算出する。測距部１０５は、Ａ像信号、Ｂ像信号のズレに基づき、像面でのデフォーカス量を算出する。デフォーカス量は正負の値を持っており、デフォーカス量が正の値であるか負の値であるかによって、前ピン状態か後ピン状態かがわかる。また、デフォーカス量の絶対値によって、合焦までの合焦度合いが分かり、デフォーカス量が０であれば合焦である。すなわち、測距部１０５は、測距位置（焦点検出位置）について算出したデフォーカス量の正負に基づいて前ピン状態か後ピン状態かの情報をＣＰＵ１１２ａ等に出力する。また、デフォーカス量の絶対値に基づいて、合焦度合い（ピントのズレの度合い）である合焦度合い情報をＣＰＵ１１２ａ等に出力する。測距部１０５は、前ピン状態か後ピン状態かの情報を、デフォーカス量が所定値を超える場合に出力し、デフォーカス量の絶対値が所定値以内である場合には、合焦状態である情報を出力する。なお、合焦度合い情報は、デフォーカス量を、合焦させるまでにフォーカスリング１３４を回転させる操作量に換算した値として出力する。
【００３４】
なお、本実施形態では、撮像素子１０４から、撮像用の信号と、位相差検出用の２つの信号との計３つの信号を出力しているが、このような方法に限定されない。例えば、撮像用の信号と、位相差検出用の２つの信号のうち１つの信号との計２つの信号を出力するようにしてもよい。この場合、出力後に位相差検出用の像信号の２つの信号のうちの他の１つの信号は、撮像素子１０４からの２つの出力信号を用いて算出される。
また、図２では、一つのマイクロレンズに対して光電変換手段としてのフォトダイオードを２つ保持している画素部をアレイ状に並べる例を示しているが、この場合に限定されない。例えば、一つのマイクロレンズに対して光電変換手段としてのフォトダイオードを３つ以上保持している画素部をアレイ状に並べるようにしてもよい。また、マイクロレンズに対して受光部の開口位置が異なる画素部を複数有するようにしてもよい。つまり、結果としてＡ像信号とＢ像信号といった位相差検出可能な位相差検出用の２つの信号が取得できればよい。
【００３５】
＜フォーカスガイド機能と画像拡大表示機能の画面例＞
本実施形態のカメラ１０は、フォーカスのアシスト機能として、フォーカスガイド機能と画像拡大表示機能とを備える。
フォーカスガイド機能とは、ユーザが指定した領域のフォーカス状況を指標で示すモードである。ユーザは指標を視認することで、合焦状態（焦点検出位置の被写体に合焦している状態）であるか、前ピン状態もしくは後ピン状態であるかを確認することができる。
画像拡大表示機能とは、ユーザが指定した領域の撮像画像（ライブビュー画像）を任意の倍率で表示する機能である。ユーザは拡大した撮像画像を視認することで、より詳細に撮像画像を確認することができる。
【００３６】
まず、フォーカスガイド機能を実行したときの画面の表示例を図３を参照して説明する。
図３は、表示部１０１に表示される表示画面３００の一例を示す図である。
表示画面３００には、フォーカスガイド３０１、記録時間３０２および被写体３０３が表示されている。フォーカスガイド３０１は、識別アイテムの一例に対応する。フォーカスガイド３０１および記録時間３０２は何れもＯＳＤとして、撮像画像に重畳して表示される。これらのＯＳＤは、ＣＰＵ１１２ａがＧＰＵ１１０に指示し、ＧＰＵ１１０がＯＳＤ用のＶＲＡＭに描画した内容である。被写体３０３は、画像処理部１０７からの撮像画像である画像データの一部である。上述したように、ＯＳＤ用のＶＲＡＭと画像データをＧＰＵ１１０により合成することで、図３に示す表示画面３００を表示部１０１に表示することができる。
【００３７】
フォーカスガイド３０１は、ガイド枠３０１ａと指標３０１ｂとを含んで構成される。ガイド枠３０１ａは、焦点検出位置を示す表示であって、フォーカス状況としての合焦度合いに応じて表示形態が変化する。ガイド枠３０１ａは、第１の識別アイテムの一例に対応する。また、指標３０１ｂは、合焦度合いを示すと共に、合焦度合いに応じて表示形態が変化する。指標３０１ｂは、第２の識別アイテムの一例に対応する。
ここで、フォーカスガイド３０１の表示形態の変化について図３（ｂ）〜図３（ｅ）を参照して説明する。
図３（ｂ）に示すフォーカスガイド３０４は、合焦状態（焦点検出位置の被写体に合焦している状態）を示している。ガイド枠３０４ａは切れ目がない環状の枠形状であって、枠自体が例えば緑色（第１の色）である。ガイド枠３０４ａの形状および色は合焦状態であることを示している。
指標３０４ｂは、ガイド枠３０４ａの上側に位置し、上下対称に互いの頂角を一致させた２つの三角形で示されている。指標３０４ｂは、ガイド枠３０４ａと同一の色である。指標３０４ｂの形状および色は合焦状態であることを示している。
【００３８】
図３（ｃ）に示すフォーカスガイド３０５は、後ピン状態（焦点検出位置の被写体よりも後に合焦している状態）を示している。ガイド枠３０５ａは環状の一部に切れ目がある枠形状、具体的には４つ角に鍵括弧を位置させた形状であって、枠自体が例えば白色（第２の色）である。ガイド枠３０５ａの形状および色は合焦状態ではないことを示している。
指標３０５ｂは、ガイド枠３０５ａの上側に位置する３つの三角形が示されている。中央の三角形は、合焦状態へ向かうための左右の三角形の目標地点を示しており、頂角が上側に位置する。左右の三角形は、左右の三角形の間の距離（あるいは角度）によって合焦度合い、すなわち焦点検出位置における合焦状態からのズレ量を示し、それぞれ頂角が下側に位置する。左右の三角形の間の距離（あるいは角度）は、合焦状態からのズレ量が大きい場合に比べて小さい場合の方が距離が小さい（狭くなる、角度は小さくなる）。被写体とカメラ１０の距離が変動すると、合焦度合いが変化するため、左右の三角形の間の距離は狭まったり広がったり動的に変化する。また、指標３０５ｂは、ガイド枠３０５ａと同一の色である。指標３０５ｂの形状（頂角が下側である左右の三角形が離れている形態）は後ピン状態であることを示し、指標３０５ｂの色は合焦状態ではないことを示している。
【００３９】
図３（ｄ）に示すフォーカスガイド３０６は、前ピン状態（焦点検出位置の被写体よりも前に合焦している状態）を示している。ガイド枠３０６ａは環状の一部に切れ目がある枠形状、具体的には４つ角に鍵括弧を位置させた形状であって、枠自体が例えば白色（第２の色）である。ガイド枠３０６ａの形状および色は合焦状態ではないことを示している。
指標３０６ｂは、ガイド枠３０６ａの上側に位置する３つの三角形が示されている。中央の三角形は、合焦状態へ向かうための左右の三角形の目標地点を示しており、頂角が下側に位置する。左右の三角形は、左右の三角形の間の距離（あるいは角度）によって合焦度合い、すなわち焦点検出位置における合焦状態からのズレ量を示し、それぞれ頂角が上側に位置する。図３（ｃ）と同様、左右の三角形の間の距離（あるいは角度）は、合焦状態からのズレ量が大きい場合に比べて小さい場合の方が距離が小さい（狭くなる、角度は小さくなる）。また、指標３０６ｂは、ガイド枠３０６ａと同一の色である。指標３０６ｂの形状（頂角が上側である左右の三角形が離れている形態）は前ピン状態であることを示し、指標３０６ｂの色は合焦状態ではないことを示している。
【００４０】
図３（ｅ）に示すフォーカスガイド３０７は、前ピン状態および後ピン状態を判定できない状態、すなわち測距に失敗した状態を示している。ガイド枠３０７ａは環状の一部に切れ目がある枠形状、具体的には４つ角に鍵括弧状を位置させた形状であって、枠自体が例えば、緑色および白色とは異なる灰色（第３の色）である。ガイド枠３０７ａの色は測距に失敗した状態であることを示している。指標３０７ｂは、ガイド枠３０７ａの上側に位置する３つの四角形が示されている。また、指標３０７ｂは、ガイド枠３０７ａと同一の色である。指標３０７ｂの形状および色は、測距に失敗した状態を示している。
【００４１】
このように、ユーザはフォーカスガイド３０１（フォーカスガイド３０４〜３０７）を視認することにより、焦点検出位置および焦点検出位置におけるフォーカス状況を確認することができる。なお、図３（ｂ）〜図３（ｅ）に示すフォーカスガイド３０４〜３０７の表示形態は一例であって、ユーザが焦点検出位置および焦点検出位置におけるフォーカス状況を確認することができるのであれば、他の表示形態であってもよい。
【００４２】
次に、画像拡大表示機能（拡大表示モード）を実行したときの画面の表示例を図４を参照して説明する。
図４（ａ）は、画像拡大表示機能を実行する前に表示部１０１に表示されている表示画面３００の一例を示す図である。なお、図４（ａ）に示す表示画面３００は、図３（ａ）に示す表示画面３００と同一画面であって、図３（ａ）と同一構成には同一符号を付している。また、図４（ａ）に示す拡大範囲４０１は、画像拡大表示機能を用いて拡大する範囲を示している。
【００４３】
図４（ｂ）は、画像拡大表示機能を実行した後の表示画面４０２の一例を示す図である。図４（ｂ）では、フォーカスガイド３０１を含む範囲を拡大しているために、画像拡大表示機能を実行することにより表示画面４０２にもフォーカスガイド３０１が表示される。このとき、表示画面４０２内の一部（例えば右下）にレーダーチャート４０３が表示される。レーダーチャート４０３は、画像全体に対して拡大した位置を示している。レーダーチャート４０３は、拡大ガイドの一例に対応する。
【００４４】
レーダーチャート４０３には、画像全体に相当する範囲を表示する画像全体表示４０４と、画像全体に対して拡大範囲の位置を表示する拡大範囲表示４０５とが含まれる。したがって、ユーザは画像拡大表示機能を実行した場合に、レーダーチャート４０３を視認することにより、画像全体に対して拡大範囲の位置を把握することができる。なお、このような画像全体の一部を拡大する処理は、画像処理部１０７もしくはＧＰＵ１１０によって行われる。
【００４５】
＜拡大範囲を移動したときの表示例＞
次に、画像拡大表示機能を実行した状態で拡大範囲を移動したときの画面の表示例を図５を参照して説明する。ここでは、ユーザが拡大範囲を移動する操作として十字キー１２５を用いる場合について説明するが、例えばタッチパネルをタッチ操作することで拡大範囲を移動させてもよい。
図５（ａ）は、拡大範囲を移動する前に表示されている表示画面４０２の一例を示す図である。なお、図５（ａ）に示す表示画面４０２は、図４（ｂ）に示す表示画面４０２と同一画面であって、図４（ｂ）と同一構成には同一符号を付している。ここで、図５（ａ）に示す状態から、ユーザが十字キー１２５（例えば右キー）を入力することで、拡大率を維持したまま画像全体に対して拡大範囲を移動させることができる。
【００４６】
図５（ｂ）は、拡大範囲を移動させた後の表示画面５００の一例を示す図である。図５（ｂ）では、拡大範囲が右側に移動したことに応じて、レーダーチャート４０３の拡大範囲表示４０５の位置も右側に変更して表示される。図５（ｂ）の表示画面５００では、フォーカスガイド３０１および被写体３０３が継続して表示される。ここで、図５（ｂ）に示す状態から、更にユーザが十字キー１２５（例えば右キー）を入力することで、拡大範囲を更に移動させることができる。
図５（ｃ）は、拡大範囲を更に移動させた後の表示画面５０１の一例を示す図である。図５（ｃ）では、拡大範囲が更に右側に移動したことに応じて、レーダーチャート４０３の拡大範囲表示４０５の位置も更に右側に変更して表示される。ここで、図５（ｃ）では、移動した拡大範囲にフォーカスガイド３０１が含まれていないために、表示画面５０１にはフォーカスガイド３０１が表示されない。
このように、移動させた拡大範囲にフォーカスガイド３０１が含まれていない場合、ユーザはフォーカスガイド３０１の位置を把握することが困難である。
【００４７】
＜フォーカスガイドを移動したときの表示例＞
次に、画像拡大表示機能を実行した状態でフォーカスガイドを移動したときの画面の表示例を図６を参照して説明する。ここでは、ユーザがフォーカスガイドを移動する操作として十字キー１２５を用いる場合について説明するが、例えばタッチパネルをタッチ操作することでフォーカスガイドを移動させてもよい。
図６（ａ）は、フォーカスガイドを移動する前に表示されている表示画面４０２の一例を示す図である。なお、図６（ａ）に示す表示画面４０２は、図４（ｂ）に示す表示画面４０２と同一画面であって、図４（ｂ）と同一構成には同一符号を付している。ここで、図６（ａ）に示す状態から、例えば、ユーザがメニューキー１２４を押しながら十字キー１２５（例えば右キー）を入力することで、フォーカスガイド３０１の位置を移動させることができる。
【００４８】
図６（ｂ）は、フォーカスガイド３０１を移動させた後の表示画面６００の一例を示す図である。図６（ｂ）では、フォーカスガイド３０１が右側に移動したことに応じてフォーカス状況が変化するために、ガイド枠６０１ａおよび指標６０１ｂの表示形態が変化している。ここでは、ガイド枠６０１ａおよび指標６０１ｂは前ピン状態であることを示している。図６（ｂ）に示す状態から、更にユーザがメニューキー１２４を押しながら十字キー１２５（例えば右キー）を入力することで、フォーカスガイド３０１を更に移動させることができる。
図６（ｃ）は、フォーカスガイド３０１を更に移動させた後の表示画面６０２の一例を示す図である。図６（ｃ）では、フォーカスガイド３０１が更に右側に移動したことによって、拡大範囲にフォーカスガイド３０１が含まれないために、表示画面６０３にはフォーカスガイド３０１が表示されない。
このように、拡大範囲にフォーカスガイド３０１が含まれていない場合、ユーザはフォーカスガイド３０１の位置を把握することが困難である。
【００４９】
そこで、本実施形態のカメラ１０では、拡大範囲を移動させたりフォーカスガイドを移動させたりした場合に、拡大範囲にフォーカスガイド３０１が含まれていない場合であっても、ユーザがフォーカスガイドの位置を把握できるように表示制御する。
以下、本実施形態のカメラ１０の表示制御について図７のフローチャートを参照して説明する。図７のフローチャートは、ＣＰＵ１１２ａがＲＯＭ１１２ｂからプログラムを読み出してＲＡＭ１１２ｃに展開して実行することによって実現される。また、図７のフローチャートは、表示部１０１に撮像画像が表示され、ユーザがＡＦ／ＭＦスイッチ１３５をＭＦに切替えることで開始される。
【００５０】
Ｓ７０１では、ＣＰＵ１１２ａはフォーカス駆動モードをＭＦモードに設定する。この処理は、設定手段の一例に対応する。また、ＣＰＵ１１２ａはフォーカスガイド機能を有効にする。
Ｓ７０２では、ＣＰＵ１１２ａはフォーカスガイドのガイド枠の位置を撮像画像の中央に設定する。例えば、ＣＰＵ１１２はＲＯＭ１１２ｂに予め記憶された、ガイド枠を設定する位置の情報を取得することでガイド枠を設定する。この処理は、取得手段の一例に対応する。
【００５１】
Ｓ７０３では、ＣＰＵ１１２ａはフォーカスガイドのガイド枠の位置をフォーカス測定領域に設定する。したがって、ガイド枠の位置が焦点検出位置に設定される。
Ｓ７０４では、ＣＰＵ１１２ａはフォーカス測定領域のフォーカス状況を取得する。具体的には、測距部１０５がデフォーカス量に基づいて、合焦状態、前ピン状態および後ピン状態の何れかの状態であるかの情報および合焦度合い情報を算出してＣＰＵ１１２ａに出力することで、ＣＰＵ１１２ａはフォーカス状況を取得する。また、ＣＰＵ１１２ａはフォーカス状況に応じた表示形態でフォーカスガイドを表示する。したがって、フォーカス状況に応じて上述した図３（ｂ）のフォーカスガイド３０４〜図３（ｅ）のフォーカスガイド３０７の何れかのフォーカスガイドが表示される。
【００５２】
Ｓ７０５では、ＣＰＵ１１２ａはユーザから撮像画像の拡大が指示されたか否かを判定する。例えば、ＣＰＵ１１２ａはユーザが拡大キー１３１を操作した場合に拡大が指示されたと判定する。拡大が指示された場合にはＳ７０６に進み、拡大が指示されていない場合にはＳ７０９に進む。
Ｓ７０６では、ＣＰＵ１１２ａは画像拡大表示機能を実行する。具体的には、ＣＰＵ１１２ａはＧＰＵ１１０が生成した、撮像画像の拡大画像を表示部１０１に表示するように制御する。この処理は、表示制御手段による処理の一例に対応する。
【００５３】
図８（ａ）は、画像拡大表示機能を実行する前に表示部１０１に表示されている表示画面３００の一例を示す図である。なお、図８（ａ）に示す表示画面３００は、図４（ａ）に示す表示画面３００と同一の画面であって、図４（ａ）と同一構成には同一符号を付している。
図８（ｂ）は、画像拡大表示機能を実行した後の表示画面８００の一例を示す図である。図８（ｂ）では、フォーカスガイド３０１を含む範囲を拡大しているために、画像拡大表示機能を実行することにより表示画面８００にもフォーカスガイド３０１が表示される。ここでは、拡大範囲４０１がフォーカスガイド３０１をできるだけ中央に位置するように設定されている例を示している。ただし、前回の拡大範囲の位置の情報がＲＡＭ１１２ｃに記憶されている場合には、ＣＰＵ１１２ａは記憶された拡大範囲の位置と同一位置に拡大範囲を設定してもよい。また、ＣＰＵ１１２ａは一律に撮像画像の中央に拡大範囲を設定してもよい。
【００５４】
Ｓ７０７では、ＣＰＵ１１２ａは撮像画像の一部にレーダーチャートを表示する。この処理は、制御手段による処理の一例に対応する。
図８（ｂ）には、表示画面８００内の一部（例えば右下）にレーダーチャート４０３が表示される。レーダーチャート４０３は、画像全体に対する拡大範囲の位置を示している。レーダーチャート４０３には、画像全体に相当する範囲を表示する画像全体表示４０４と、画像全体に対して拡大範囲の位置を表示する拡大範囲表示４０５とが含まれる。
ＣＰＵ１１２ａは撮像画像の画像全体に対する拡大範囲４０１の大きさの比率と、画像全体表示４０４に対する拡大範囲表示４０５の比率とが同一になるようにレーダーチャート４０３を表示する。また、ＣＰＵ１１２ａは、画像全体に対する拡大範囲４０１の位置と、画像全体表示４０４に対する拡大範囲表示４０５の位置とが同一位置になるように、レーダーチャート４０３を表示する。したがって、ユーザはレーダーチャート４０３を視認することで、画像全体に対して拡大している位置および大きさを把握することができる。
【００５５】
Ｓ７０８では、ＣＰＵ１１２ａはレーダーチャートにフォーカスガイド表示を重畳して表示する。この処理は、制御手段による処理の一例に対応する。フォーカスガイド表示は、フォーカスガイドの場所を示す表示の一例である。
図８（ｂ）には、レーダーチャート４０３に重畳してフォーカスガイド表示８０１が表示される。フォーカスガイド表示８０１は、ガイド枠表示８０１ａと指標表示８０１ｂとを含んで構成される（破線の円内に示す拡大図を参照）。ガイド枠表示８０１ａは、ガイド枠３０１ａの場所を示す表示の一例である。ガイド枠表示８０１ａは第１の表示アイテムの一例である。一方、指標表示８０１ｂはガイド枠３０１ａにおける合焦度合いを示す表示の一例である。指標表示８０１ｂは第２の表示アイテムの一例である。
【００５６】
まず、ＣＰＵ１１２ａは、画像全体に対するフォーカスガイド３０１の位置と、画像全体表示４０４に対するフォーカスガイド表示８０１の位置とが同一位置になるように、フォーカスガイド表示８０１を表示する。また、ＣＰＵ１１２ａは、フォーカスガイド表示８０１がフォーカスガイド３０１と対応することをユーザに識別可能に表示する。具体的には、ＣＰＵ１１２ａは、フォーカスガイド表示８０１をフォーカスガイド３０１と同一の表示形態で表示する。ここでは、ＣＰＵ１１２ａは、ガイド枠表示８０１ａをガイド枠３０１ａと同一の形状および色で表示すると共に、指標表示８０１ｂを指標３０１ｂと同一の形状および色で表示する。したがって、図８（ｂ）では、ガイド枠表示８０１ａが環状の枠形状であって緑色（第１の色）で表示され、指標表示８０１ｂが上下対称に互いの頂角を一致させた２つの三角形であって緑色（第１の色）で表示される。なお、ＣＰＵ１１２ａはガイド枠表示８０１ａをガイド枠３０１ａの形状および色の少なくとも何れか一方を同一になるように表示すると共に、指標表示８０１ｂを指標３０１ｂの形状および色の少なくとも何れか一方が同一になるように表示してもよい。
【００５７】
また、ＣＰＵ１１２ａは、画像全体に対するフォーカスガイド３０１の大きさの比率と、画像全体表示４０４に対するフォーカスガイド表示８０１の大きさの比率とが同一になるようにフォーカスガイド表示８０１を表示する。したがって、図８（ｂ）では、ガイド枠表示８０１ａがガイド枠３０１ａよりも小さく表示され、指標表示８０１ｂが指標３０１ｂよりも小さく表示される。
このように、レーダーチャート４０３にフォーカスガイド表示８０１を表示することで、ユーザはレーダーチャート４０３を視認することによってフォーカスガイド３０１の位置およびフォーカス状況を把握することができる。
【００５８】
なお、フォーカスガイド表示８０１を単にフォーカスガイド３０１よりも小さく表示させただけでは、フォーカスガイド表示８０１が小さくなり過ぎてしまい、ユーザがフォーカスガイド表示８０１を視認し難い場合がある。したがって、フォーカスガイド表示８０３は、フォーカスガイド３０１の表示形態よりも簡易的に表示することで、ユーザが視認しやすくて表示してもよい。ここで、簡易的に表示するとは、例えば、指標表示８０１ｂを非表示としてガイド枠表示８０１ａのみを表示することや、ガイド枠３０１ａが合焦状態であるか合焦状態ではないかに関わらずガイド枠表示８０１ａを同一の形状のままにすること等が含まれる。なお、ガイド枠表示８０１ａのみを表示し、かつ、合焦状態であるか合焦状態ではないかに関わらずガイド枠表示８０１ａを同一の形状のままにする場合には、ガイド枠表示８０１ａのみで、ガイド枠３０１ａのフォーカス状況を把握することができない。したがって、この場合には、ＣＰＵ１１２ａは、ガイド枠３０１ａのフォーカス状況に応じてガイド枠表示８０１ａの色を変更して表示してもよい。このとき、ＣＰＵ１１２ａは、焦点検出位置が合焦状態では緑色（第１の色）、合焦状態ではない場合には白色（第２の色）、測距に失敗した状態では灰色（第３の色）にガイド枠表示８０１ａを表示してもよい。
このように、レーダーチャート４０３にフォーカスガイド表示８０１を簡易的に表示することで、ユーザはレーダーチャート４０３内の表示を容易に視認することができる。
【００５９】
一方、Ｓ７０９では、ＣＰＵ１１２ａはユーザからフォーカスガイドの移動が指示されたか否かを判定する。例えば、ＣＰＵ１１２ａはユーザがメニューキー１２４を押しながら十字キー１２５を操作した場合にフォーカスガイドの移動が指示されたと判定する。フォーカスガイドの移動が指示された場合にはＳ７１０に進み、フォーカスガイドの移動が指示されていない場合にはＳ７０５に戻る。
Ｓ７１０では、ＣＰＵ１１２ａはフォーカスガイドの移動の指示に応じてフォーカスガイドを移動するように制御する。例えば、ＣＰＵ１１２ａはユーザがメニューキー１２４を押しながら十字キー１２５を操作した場合にはフォーカスガイド３１０の位置を十字キー１２５の方向に移動させる。また、ＣＰＵ１１２ａは変更したフォーカスガイドのガイド枠の位置を取得すると共に、ガイド枠の位置をフォーカス測定領域として更新する。
Ｓ７１１では、ＣＰＵ１１２ａは移動したフォーカスガイドの位置に基づいてフォーカスガイドを更新して表示するように制御する。具体的には、ＣＰＵ１１２ａは更新したフォーカス測定領域のフォーカス状況を取得し、フォーカス状況に応じた表示形態にフォーカスガイド３０１を更新して表示する。この処理は、Ｓ７０４と同様の処理である。その後、Ｓ７０５に戻る。
【００６０】
一方、Ｓ７１２では、ＣＰＵ１１２ａはユーザからフォーカスガイドの移動が指示されたか否かを判定する。この処理は、Ｓ７０９と同様の処理である。フォーカスガイドの移動が指示された場合にはＳ７１３に進み、フォーカスガイドの移動が指示されていない場合にはＳ７１６に進む。
Ｓ７１３では、ＣＰＵ１１２ａはフォーカスガイドの移動の指示に応じてフォーカスガイドを移動するように制御する。この処理は、Ｓ７１０と同様の処理である。
【００６１】
Ｓ７１４では、ＣＰＵ１１２ａは移動したフォーカスガイドの位置に基づいてフォーカスガイドを更新して表示するように制御する。この処理は、Ｓ７１１と同様の処理である。
Ｓ７１５では、ＣＰＵ１１２ａはレーダーチャート上のフォーカスガイド表示を更新して表示するように制御する。その後、Ｓ７１２に戻る。
【００６２】
ここで、フォーカスガイド表示を更新して表示したときの表示画面の表示例を図９を参照して説明する。
図９（ａ）は、フォーカスガイドを移動する前に表示されている表示画面８００の一例を示す図である。なお、図９（ａ）に示す表示画面８００は、図８（ｂ）に示す表示画面８００と同一の画面であって、図８（ｂ）と同一構成には同一符号を付している。図９（ａ）には、レーダーチャート４０３が表示され、レーダーチャート４０３にはガイド枠表示８０１ａと指標表示８０１ｂとを含むフォーカスガイド表示８０１が表示されている（破線の円内に示す拡大図を参照）。ここでは、ガイド枠表示８０１ａと指標表示８０１ｂは、合焦状態であることを示している。
【００６３】
図９（ｂ）は、フォーカスガイド３０１を移動させた後の表示画面９００の一例を示す図である。図９（ｂ）では、フォーカスガイド３０１が右側に移動したことに応じてフォーカス状況が変化するために、ガイド枠９０１ａおよび指標９０１ｂの表示形態が更新されている。ここでは、ガイド枠９０１ａおよび指標９０１ｂは前ピン状態であることを示している。また、レーダーチャート４０３上のフォーカスガイド表示８０１が更新して表示される。
ＣＰＵ１１２ａは、画像全体に対するフォーカスガイド３０１の位置と、画像全体表示４０４に対するフォーカスガイド表示８０１の位置とが同一位置になるように、フォーカスガイド表示８０１を更新して表示する。また、ＣＰＵ１１２ａは、フォーカスガイド表示８０１のガイド枠表示９０２ａおよび指標表示９０２ｂの表示態様を、更新したフォーカスガイド３０１のガイド枠９０１ａと指標９０１ｂの表示態様と同一になるように表示する。なお、これらの処理は、上述したＳ７０８において図８（ｂ）を参照して説明した処理と同様である。
したがって、ユーザはレーダーチャート４０３を視認することで、フォーカスガイド３０１の位置およびフォーカス状況を把握することができる。
図９（ｂ）に示す状態から、更にユーザがメニューキー１２４を押しながら十字キー１２５（例えば右キー）を入力することで、フォーカスガイド３０１を更に移動させることができる。
【００６４】
図９（ｃ）は、フォーカスガイド３０１を更に移動させた後の表示画面９０３の一例を示す図である。図９（ｃ）では、フォーカスガイド３０１が更に右側に移動したことによって、拡大範囲にフォーカスガイド３０１が含まれない。
ＣＰＵ１１２ａは、画像全体に対するフォーカスガイド３０１の位置と、画像全体表示４０４に対するフォーカスガイド表示８０１の位置とが同一位置になるように、フォーカスガイド表示８０１を更新して表示する。また、ＣＰＵ１１２ａは、移動して拡大範囲の範囲外になったフォーカスガイド３０１のガイド枠（図示しない）のフォーカス状況に応じてフォーカスガイド表示８０１を更新して表示する。ここでは、ＣＰＵ１１２ａは、フォーカスガイド表示８０１のガイド枠表示９０４ａおよび指標表示９０４ｂの表示態様を、移動したフォーカスガイド３０１のガイド枠９０１ａと指標９０１ｂを仮に表示したときの表示態様と同一になるように表示する。したがって、移動したフォーカスガイドのガイド枠のフォーカス状況が合焦状態である場合には図３（ｂ）のフォーカスガイド３０４の表示態様と同一になるようにフォーカスガイド表示８０１が表示される。また、後ピン状態である場合には図３（ｃ）のフォーカスガイド３０５、前ピン状態である場合には図３（ｄ）のフォーカスガイド３０６の表示態様と同一になるようにフォーカスガイド表示８０１が表示される。
図９（ｃ）では、ガイド枠表示９０４ａおよび指標表示９０４ｂが前ピン状態であることを示している。
したがって、拡大画像にフォーカスガイド３０１が含まれないようになっても、ユーザはレーダーチャート４０３を視認することで、フォーカスガイド３０１の位置およびフォーカス状況を把握することができる。
【００６５】
一方、Ｓ７１６では、ＣＰＵ１１２ａはユーザから撮像画像の拡大範囲の移動が指示されたか否かを判定する。例えば、ＣＰＵ１１２ａはユーザが十字キー１２５を操作した場合に拡大範囲の移動が指示されたと判定する。拡大範囲の移動が指示された場合にはＳ７１７に進み、拡大範囲の移動が指示されていない場合にはＳ７１９に進む。
Ｓ７１７では、ＣＰＵ１１２ａは拡大範囲の移動の指示に応じて撮像画像の拡大範囲の位置を移動するように制御する。具体的には、例えば、ＣＰＵ１１２ａはユーザが十字キー１２５を操作した場合には撮像画像の拡大範囲の位置を十字キー１２５の方向に移動させる。
【００６６】
Ｓ７１８では、ＣＰＵ１１２ａは移動した拡大範囲の位置に応じてレーダーチャートを更新して表示するように制御する。この処理は、Ｓ７０７と同様の処理である。なお、拡大範囲の移動量によっては、フォーカスガイド３０１が拡大範囲の範囲外になる場合がある。この場合でも、ＣＰＵ１１２ａはレーダーチャート４０３にフォーカスガイド表示８０１を継続して表示する。例えば、図８（ｂ）の表示画面８００の状態から被写体３０３が含まれない位置まで拡大範囲を右側に移動させた場合には、拡大範囲を表示している画像にはフォーカスガイド３０１が含まれない。一方、レーダーチャート４０３には移動した拡大範囲の位置に応じて拡大範囲表示４０５が移動して表示されると共に、フォーカスガイド表示８０１が図８（ｂ）に示す位置および表示形態のまま継続して表示される。
したがって、拡大範囲を表示している撮像画像にフォーカスガイド３０１が含まれないようになっても、ユーザはレーダーチャート４０３を視認することで、フォーカスガイド３０１の位置およびフォーカス状況を把握することができる。
【００６７】
一方、Ｓ７１９では、ＣＰＵ１１２ａはユーザがＡＦ／ＭＦスイッチ１３５をＭＦからＡＦに切替えたか否かを判定する。ＡＦに切替えた場合にはＳ７２０に進み、ＡＦに切替えていない場合にはＳ７２３に進む。
Ｓ７２０では、ＣＰＵ１１２ａはフォーカス駆動モードをＡＦモードに設定する。この処理は、設定手段の一例に対応する。具体的に、ＣＰＵ１１２ａはフォーカス測定領域を初期値に設定する。ここで、初期値とはフォーカス測定領域が無効であることを示している。したがって、ＣＰＵ１１２ａは測距部１０５がデフォーカス量を算出しないように制御する。
【００６８】
Ｓ７２１では、ＣＰＵ１１２ａはフォーカスガイド機能を無効にして、フォーカスガイドを非表示にするように制御する。フォーカスガイド機能はＭＦモードにおいてユーザが所望する被写体に合焦させるときにアシストするための機能である。したがって、ＡＦモードが設定された場合にはフォーカスガイドは不要のために非表示にする。
Ｓ７２２では、ＣＰＵ１１２ａはレーダーチャート上のフォーカスガイド表示を非表示にするように制御する。フォーカスガイド表示は、レーダーチャートにフォーカスガイドの場所を示す表示であるため、フォーカスガイドが非表示である場合にはフォーカスガイド表示は不要のために非表示にする。
図１０は、ＡＦに切替えたときに表示部１０１に表示される表示画面１０００の一例を示す図である。図１０では、フォーカスガイドが非表示であり、かつ、レーダーチャート４０３のフォーカスガイド表示が非表示である。なお、図１０には、ＡＦモードに設定されていることを示すＡＦモード表示１００１が表示される。
【００６９】
一方、Ｓ７２３では、ＣＰＵ１１２ａはユーザから撮像画像の拡大の解除が指示されたか否かを判定する。例えば、ＣＰＵ１１２ａはユーザが拡大キー１３１を操作した場合に拡大が解除されたと判定する。拡大の解除が指示された場合にＳ７２４に進み、拡大の解除が指示されていない場合にはＳ７１２に戻る。
Ｓ７２４では、ＣＰＵ１１２ａは拡大画像の表示を終了し、撮像画像の画像全体を表示部１０１に表示するように制御する。
Ｓ７２５では、ＣＰＵ１１２ａはレーダーチャート上のフォーカスガイド表示を非表示にするように制御する。フォーカスガイド表示は、撮像画像を拡大したときにフォーカスガイドの場所を示すための表示である。したがって、撮像画像の画像全体を表示している場合にはフォーカスガイド表示は不要のために非表示にする。
Ｓ７２６では、ＣＰＵ１１２ａはレーダーチャートを非表示にするように制御する。
【００７０】
一方、Ｓ７２７では、ＣＰＵ１１２ａはユーザによりシャッターボタン１３６が操作（半押し）され、第１シャッタースイッチ信号ＳＷ１が発生したか否かを判定する。第１シャッタースイッチ信号ＳＷ１が発生した場合にはＳ７２８に進み、第１シャッタースイッチ信号ＳＷ１が発生していない場合にはＳ７３８に進む。
Ｓ７２８では、ＣＰＵ１１２ａは撮像画像の拡大範囲に対してＡＦ処理を行い、合焦した時点でＡＦロック状態にするように制御する。
Ｓ７２９では、ＣＰＵ１１２ａはユーザによりシャッターボタン１３６が操作（全押し）され、第２シャッタースイッチ信号ＳＷ２が発生したか否かを判定する。第２シャッタースイッチ信号ＳＷ２が発生した場合にはＳ７３２に進み、第２シャッタースイッチ信号ＳＷ２が発生していない場合にはＳ７３０に進む。
【００７１】
Ｓ７３０では、ＣＰＵ１１２ａはユーザによりシャッターボタン１３６が解除され、第１シャッタースイッチ信号ＳＷ１が停止したか否かを判定する。第１シャッタースイッチ信号ＳＷ１が停止した場合はＳ７３１に進み、第１シャッタースイッチ信号ＳＷ１が停止していない場合にはＳ７２９に戻る。
Ｓ７３１では、ＣＰＵ１１２ａはＡＦロックを解除する。その後、Ｓ７２７に戻る。
【００７２】
一方、Ｓ７３２では、ＣＰＵ１１２ａは撮像画像の画像全体を画像データに変換して記録媒体１０９に記録するように制御する。
Ｓ７３３では、ＣＰＵ１１２ａは拡大画像の表示を終了し、撮像画像の画像全体を表示部１０１に表示するように制御する。
Ｓ７３４では、ＣＰＵ１１２ａはレーダーチャートを非表示にするように制御する。
【００７３】
Ｓ７３５では、ＣＰＵ１１２ａはユーザによりシャッターボタン１３６が解除され、第２シャッタースイッチ信号ＳＷ２が停止したか否かを判定する。第２シャッタースイッチ信号ＳＷ２が停止した場合はＳ７３６に進み、第２シャッタースイッチ信号ＳＷ２が停止していない場合にはＳ７２５において第２シャッタースイッチ信号ＳＷ２が停止するのを待機する。
Ｓ７３６では、ＣＰＵ１１２ａはユーザから撮像画像の拡大が指示されたか否かを判定する。この処理は、Ｓ７０５と同様の処理である。拡大が指示された場合にはＳ７３７に進み、拡大が指示されていない場合にはＳ７４２に進む。
Ｓ７３７では、ＣＰＵ１１２ａは画像拡大表示機能を実行する。この処理は、Ｓ７０６と同様の処理である。その後、Ｓ７２７に戻る。
【００７４】
一方、Ｓ７３８では、ＣＰＵ１１２ａはユーザがＡＦ／ＭＦスイッチ１３５をＡＦからＭＦに切替えたか否かを判定する。ＭＦに切替えた場合にはＳ７３９に進み、ＭＦに切替えていない場合にはＳ７２７に戻る。
Ｓ７３９では、ＣＰＵ１１２ａはフォーカス駆動モードをＭＦモードに設定する。また、ＣＰＵ１１２ａはフォーカスガイド機能を有効にすると共に、フォーカスガイドのガイド枠の位置を撮像画像の中央に設定する。この処理は、Ｓ７０１およびＳ７０２と同様の処理である。
Ｓ７４０では、ＣＰＵ１１２ａはフォーカスガイドのガイド枠の位置をフォーカス測定領域に設定し、フォーカス状況に応じた表示形態でフォーカスガイドを表示する。この処理は、Ｓ７０３およびＳ７０４と同様の処理である。
Ｓ７４１では、ＣＰＵ１１２ａはレーダーチャートを表示すると共に、レーダーチャート上にフォーカスガイドを表示するように制御する。この処理は、Ｓ７０７およびＳ７０８と同様の処理である。
【００７５】
一方、Ｓ７４２では、ＣＰＵ１１２ａはユーザがＡＦ／ＭＦスイッチ１３５をＡＦからＭＦに切替えたか否かを判定する。ＭＦに切替えた場合にはＳ７４３に進み、ＭＦに切替えていない場合にはＳ７４４に戻る。
Ｓ７４３では、ＣＰＵ１１２ａはフォーカス駆動モードをＭＦモードに設定する。その後、Ｓ７０２に戻る。
一方、Ｓ７４４では、ＣＰＵ１１２ａはユーザがその他の機能を実行したか否かを判定する。その他の機能を実行していない場合にはＳ７３６に戻る。その他の機能を実行した場合には、ＣＰＵ１１２ａは拡大表示機能を終了し、図７のフローチャートの処理を終了する。
【００７６】
このように、本実施形態によれば、ＣＰＵ１１２ａは、焦点検出位置が撮像画像の一部を拡大して表示した範囲外である場合に、焦点検出位置の場所を示す表示を行うように制御する。したがって、撮像画像を拡大して表示した場合に、焦点検出位置が撮像画像の一部を拡大して表示した範囲に含まれていない場合であってもユーザは焦点検出位置を容易に把握することができる。このように、焦点検出位置を把握できることで、ユーザが改めて焦点検出位置の状態を確認したい場合でも直ぐに探し出すことができ、撮影までの動作を迅速に行うことができる。
【００７７】
また、本実施形態によれば、ＣＰＵ１１２ａは画像全体に対して拡大した位置を示す拡大ガイドとしてのレーダーチャートを表示するように制御する。ＣＰＵ１１２ａは、焦点検出位置が撮像画像の一部を拡大して表示した範囲外である場合に、レーダーチャートに焦点検出位置の場所を示す表示を行うように制御する。したがって、ユーザはより正確に焦点検出位置を把握することができる。
【００７８】
また、本実施形態によれば、ＣＰＵ１１２ａは焦点検出位置が撮像画像の一部を拡大して表示した範囲外および範囲内の何れの場合であっても、レーダーチャートに焦点検出位置の場所を示す表示を行うように制御する。このように、焦点検出位置が撮像画像の一部を拡大して表示した範囲内の場合でも、レーダーチャートに焦点検出位置の場所を示す表示することで、ユーザが焦点検出位置の場所を示す表示が何を意味するかを容易に理解することができる。
【００７９】
なお、本実施形態では、１つのフォーカスガイドを表示する場合について説明したが、この場合に限られず、複数のフォーカスガイドを表示する場合に適用してもよい。
図１１（ａ）は、複数のフォーカスガイドを表示した場合の表示画面１１００の表示例を示す図である。ここでは、フォーカスガイド１１０１のガイド枠の位置が「人物」、フォーカスガイド１１０２のガイド枠の位置が「花」に設定されている。また、フォーカスガイド１１０１は合焦状態を示し、フォーカスガイド１１０２は後ピン状態を示している。
【００８０】
図１１（ｂ）は、画像拡大表示機能を実行した後の表示画面１１０３の表示例を示す図である。ここでは、ユーザがフォーカスガイド１１０２でフォーカス調整を行うためにフォーカスガイド１１０２を含みフォーカスガイド１１０１を含まない範囲を拡大している。したがって、レーダーチャート４０３の拡大範囲表示４０５内に、フォーカスガイド１１０２に対応するフォーカスガイド表示１１０５が表示される。一方、レーダーチャート４０３の拡大範囲表示４０５外に、フォーカスガイド１１０１に対応するフォーカスガイド表示１１０４が表示される。なお、フォーカスガイド表示１１０４は図１１（ａ）のフォーカスガイド１１０１と同様に合焦状態を示し、フォーカスガイド表示１１０５はフォーカスガイド１１０２と同様に後ピン状態を示している（破線の円内に示す拡大図を参照）。
【００８１】
図１１（ｃ）は、図１１（ｂ）に示す状態からユーザがフォーカスリング１３４を回転させてフォーカス調整を行った後の表示画面１１０６の表示例を示す図である。ここでは、フォーカス調整により、フォーカスガイド１１０２が後ピン状態から合焦状態に移行したことを示している。一方、表示画面１１０６にはフォーカスガイド１１０１が表示されていないものの、フォーカスガイド１１０１に対応するフォーカスガイド表示１１０４が合焦状態から後ピン状態に移行したことを示している（破線の円内に示す拡大図を参照）。
【００８２】
このように、ユーザが撮像画像を拡大して表示させて複数のフォーカスガイドのうち例えば一つのフォーカスガイドを用いてフォーカス調整する場合に、レーダーチャート４０３を視認することで他のフォーカスガイドの位置を把握することができる。したがって、次にユーザが他のフォーカスガイドを用いてフォーカス調整する場合に例えば拡大範囲を他のフォーカスガイドに迅速に移動させることができる。また、ユーザは例えば一つのフォーカスガイドを用いてフォーカス調整する場合に、レーダーチャート４０３を視認することで他のフォーカスガイドがどのようなフォーカス状況に移行するかを容易に把握することができる。
【００８３】
なお、本実施形態では、焦点検出位置が撮像画像の一部を拡大して表示した範囲外である場合に、レーダーチャートに焦点検出位置の場所を示す表示を行う場合について説明したが、拡大した撮像画像に焦点検出位置の場所を示す表示を行ってもよい。
図１２は、図８（ａ）に示す表示画面３００から画像拡大表示機能を実行した後の表示画面１２００の表示例を示す図である。ここでは、レーダーチャート４０３が表示されるが、レーダーチャート４０３にはフォーカスガイド表示が表示されず、撮像画像に重畳してフォーカスガイド表示１２０１が表示される。フォーカスガイド表示１２０１は、フォーカスガイド３０１の場所を示す表示の一例である。フォーカスガイド表示１２０１は、フォーカスガイド３０１の場所を三角形の頂角の方向で示している。ただし、この場合に限られず、フォーカスガイド表示１２０１はユーザがフォーカスガイド３０１の場所を識別可能であればよく、例えば矢印の形状等であってもよい。
このように、ＣＰＵ１１２ａは、焦点検出位置が撮像画像の一部を拡大して表示した範囲外である場合に、拡大した撮像画像に焦点検出位置の場所を示す表示を行うように制御してもよい。
【００８４】
また、上述した実施形態では、フォーカス駆動状態がＭＦモードである場合に、フォーカスガイドのガイド枠の位置を焦点検出位置とする場合について説明したが、この場合に限られない。例えば、フォーカス駆動状態がＡＦモードである場合に、合焦させる位置を示すＡＦ枠の位置を焦点検出位置として、上述した処理に適用してもよい。すなわち、ＣＰＵ１１２ａは、ＡＦ枠が撮像画像の一部を拡大して表示した範囲外である場合に、レーダーチャートにＡＦ枠の場所を示す表示を行うように制御する。したがって、撮像画像を拡大して表示した場合に、ＡＦ枠が撮像画像の一部を拡大して表示した範囲に含まれていない場合であってもユーザはＡＦ枠の位置を容易に把握することができる。なお、ＡＦ枠は、１点ＡＦ枠に限られず、複数のＡＦ枠から構成されるゾーンＡＦ枠であってもよい。
【００８５】
なお、上述した実施形態における、同一の表示形態、同一の形状および同一の色等に用いられる同一とは、ユーザが同一と認識できる、表示形態、形状および色等が含まれる。
また、ＣＰＵ１１２ａが行うものとして説明した上述の各種制御は１つのハードウェアが行ってもよいし、複数のハードウェア（例えば、複数のプロセッサーや回路）が処理を分担することで、装置全体の制御を行ってもよい。
【００８６】
また、本発明をその好適な実施形態に基づいて説明したが、本発明は上述した特定の実施形態に限られるものではなく、この発明の要旨を逸脱しない範囲の様々な形態も本発明に含まれる。さらに、上述した各実施形態は本発明の一実施形態を示すものにすぎず、適宜変更することが可能である。
【００８７】
また、上述した実施形態においては、本発明を撮像制御装置に適用した場合を例にして説明したが、この場合に限定されず撮像手段により撮像される装置であれば適用可能である。すなわち、本発明は、パーソナルコンピュータ、ＰＤＡ、スマートフォン、タブレット端末、携帯電話端末、携帯型の画像ビューワ、デジタルフォトフレーム、音楽プレーヤー、ゲーム機、電子ブックリーダ等に適用可能である。
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォン、タブレットＰＣ、デスクトップＰＣ等の装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００８８】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【符号の説明】
【００８９】
１０：カメラ  １０１：表示部  １０５：測距部  １１０：ＧＰＵ  １１２：本体マイコン  １１２ａ：ＣＰＵ  １１２ｂ：ＲＯＭ  １１２ｃ：ＲＡＭ  ３０１：フォーカスガイド  ４０３：レーダーチャート  ８０１：フォーカスガイド表示
【図１】
2019164192.tif 000003
【図２】
2019164192.tif 000004
【図３】
2019164192.tif 000005
【図４】
2019164192.tif 000006
【図５】
2019164192.tif 000007
【図６】
2019164192.tif 000008
【図７】
2019164192.tif 000009
【図８】
2019164192.tif 000010
【図９】
2019164192.tif 000011
【図１０】
2019164192.tif 000012
【図１１】
2019164192.tif 000013
【図１２】
2019164192.tif 000014